(57)【要約】【課題】盤上の球体を掬い上げて球体発射路に供給する球体供給手段を備え、人手により球体を球体発射路に供給しなくてむ球体発射装置を提供する。【解決手段】球体発射装置１は、球体発射部１０と球体供給手段３０を有し、基盤８０に回動自在に取り付けられる。球体発射部１０は、球体発射路１６の球体Ａを発射口１２に向けて押し出す押出部材２３と、押出部材２３を弾性部材２５の弾性に抗して反弾性方向に移動させる操作部材２５とからなる。球体供給手段３０は、押出部材２３の反弾性方向の移動の時に、押出部材２３の一側が係合部６１，６２と係合して回動し、収納凹部３７，３８に収納された球体Ａを球体発射路１６に供給する。【選択図】        図３
2004358068.tif 000002
【特許請求の範囲】
【請求項１】
下記の要件を備えたことを特徴とする球体発射装置。
（イ）装置本体は、球体発射部と、球体発射部に球体を供給する球体供給手段を有すること。
（ロ）球体発射部は、球体発射口を有する球体発射路と、球体発射路の球体を発射口に向けて押し出す押出部材と、押出部材を球体発射口側に向けて付勢する弾性部材と、押出部材を弾性部材の弾性に抗して反弾性方向に移動させる操作部材とからなること。
（ハ）球体供給手段は、回動自在に設けられ、球体を収納する収納凹部と、押出部材の一側と係合する係合部を有し、前記押出部材の反弾性方向の移動の時に、押出部材の一側が係合部と係合して回動し、収納凹部に収納された球体を前記球体発射路に供給するようになっていること。
【請求項２】
下記の要件を備えたことを特徴とする請求項１記載の球体発射装置。
（イ）装置本体には、照準部材が設けられていること。
（ロ）照準部材は、上部に設けられた第１の開口と、球体発射口と略同じ方向を向いた第２の開口と、第２の開口の入力光を第１の開口に反射させる反射鏡とが設けられていること。
【請求項３】
下記の要件を備えたことを特徴とする球体発射ゲーム装置。
（イ）基盤と、基盤に配置される標的と、基盤の少なくとも１箇所に設けられ、基盤に球体を発射する球体発射装置とからなること。
（ロ）基盤には、球体発射装置によって発射させられた球体が転動する球体転動板と、球体転動板の上部に設けられた装飾板を有し、球体転動板の側部には、球体発射装置に球体を案内する案内路が設けられていること。
（ハ）装飾板には、標的を着脱自在に取り付ける複数の取付孔が形成されていること。
（ニ）標的には、取付孔を介して球体転動板上の転動体が当接する位置まで伸びる当接部材が設けられていること。
（ホ）当接部材は、標的を付勢する弾性部材と、弾性部材の弾性を蓄えるようにして係止する係止部材を有し、係止部材に球体が当接すると、係止が解除され、弾性部材の弾性により標的が付勢されるようになっている。
【請求項４】
下記の要件を備えたことを特徴とする請求項３記載の球体発射ゲーム装置。
（イ）球体発射装置は、請求項１又は２記載の球体発射装置であって、基盤に回動自在に設けられていること。
（ロ）前記球体を案内する案内路は、球体を前記球体供給手段に案内するように構成されていること。
【発明の詳細な説明】
【０００１】
【発明の属する技術分野】
本願発明は、球体を発射する球体発射装置及び球体発射装置を利用した球体発射ゲーム装置に関する。
【０００２】
【従来の技術】
従来、球体を発射する球体発射装置は、球体発射部と、球体発射部に球体を供給する球体供給手段を備えている。球体発射部は、球体発射口を有する球体発射路と、球体発射路の球体を発射口に向けて押し出す押出部材と、押出部材を球体発射口側に向けて付勢する弾性部材と、押出部材を弾性部材の弾性に抗して反弾性方向に移動させる操作部材とからなる（例えば特許文献１）。
【０００３】
従来、球体発射ゲーム装置は、基盤と、基盤に配置される標的と、基盤の少なくとも１箇所に設けられ、基盤に球体を発射する球体発射装置とからなる。基盤には、球体発射装置によって発射させられた球体が転動する球体転動板と、球体転動板の上部に設けられた装飾板を有する。装飾板には、標的を着脱自在に取り付ける複数の取付溝が形成されている。標的には、取付溝を介して球体転動板上の転動体が当接する位置まで伸びる当接部材が設けられている（例えば特許文献２）。
【０００４】
【特許文献１】
特開平８−１７３６４３号公報
【特許文献２】
実公昭４６−３３３８４号公報
【０００５】
【発明が解決しようとする課題】
従来の球体発射装置は、球体供給手段がパイプであって、球体が自重によって落下し、押出部材を押し出すと、球体発射路にある球体が発射させられ、押出部材が引き戻されると、球体発射路に一つ落下するようになっているが、パイプに球体を入れるのは人手によるものであり、極めて面倒であるという問題点があった。
【０００６】
従来、球体発射ゲーム装置は、標的が基盤の縁に沿って直線上に並べられ、当たると落下するだけなので、興趣に欠け飽きられやすく、また発射した球体は人手で元の位置に戻さなければならないので、極めて不便であるという問題点があった。
【０００７】
本願発明は、上記問題点に鑑み案出したものであって、盤上に転動している球体を掬い上げて球体発射路に供給する球体供給手段を備え、人手により球体を球体発射路に供給する煩わしさをなくした球体発射装置を提供することを第１の目的とする。また、照準部材を備え、球体の発射方向を確認しながら発射することができる球体発射装置を提供することを第２の目的とする。
【０００８】
標的を所望する位置に取り付けることができ、球体が当たると標的は弾性部材によって飛び出す等の動きをし、球体は案内路によって球体発射装置に案内されるので、人手によって球体を元の位置に戻す面倒がない球体発射ゲーム装置を提供することを第３の目的とする。
【０００９】
【課題を解決するための手段】
本願請求項１に係る球体発射装置は、上記第１の目的を達成するため、下記の手段を有する。
（イ）装置本体は、球体発射部と、球体発射部に球体を供給する球体供給手段を有すること。
（ロ）球体発射部は、球体発射口を有する球体発射路と、球体発射路の球体を発射口に向けて押し出す押出部材と、押出部材を球体発射口側に向けて付勢する弾性部材と、押出部材を弾性部材の弾性に抗して反弾性方向に移動させる操作部材とからなること。
（ハ）球体供給手段は、回動自在に設けられ、球体を収納する収納凹部と、押出部材の一側と係合する係合部を有し、前記押出部材の反弾性方向の移動の時に、押出部材の一側が係合部と係合して回動し、収納凹部に収納された球体を前記球体発射路に供給するようになっていること。
【００１０】
本願請求項２に係る球体発射装置は、上記第２の目的を達成するため、上記手段に加え、下記の手段を有する。
（イ）装置本体には、照準部材が設けられていること。
（ロ）照準部材は、上部に設けられた第１の開口と、球体発射口と略同じ方向を向いた第２の開口と、第２の開口の入力光を第１の開口に反射させる反射鏡とが設けられていること。
【００１１】
本願請求項３に係る球体発射ゲーム装置は、上記第３の目的を達成するため、下記の手段を有する。
（イ）基盤と、基盤に配置される標的と、基盤の少なくとも１箇所に設けられ、基盤に球体を発射する球体発射装置とからなること。
（ロ）基盤には、球体発射装置によって発射させられた球体が転動する球体転動板と、球体転動板の上部に設けられた装飾板を有し、球体転動板の側部には、球体発射装置に球体を案内する案内路が設けられていること。
（ハ）装飾板には、標的を着脱自在に取り付ける複数の取付孔が形成されていること。
（ニ）標的には、取付孔を介して球体転動板上の転動体が当接する位置まで伸びる当接部材が設けられていること。
（ホ）当接部材は、標的を付勢する弾性部材と、弾性部材の弾性を蓄えるようにして係止する係止部材を有し、係止部材に球体が当接すると、係止が解除され、弾性部材の弾性により標的が付勢されるようになっている。
【００１２】
本願請求項４に係る球体発射ゲーム装置は、上記第３の目的を達成するため、上記手段に加え、下記の手段を有する。
（イ）球体発射装置は、請求項１又は２記載の球体発射装置であって、基盤に回動自在に設けられていること。
（ロ）前記球体を案内する案内路は、球体を前記球体供給手段に案内するように構成されていること。
【００１３】
【発明の実施の形態】
本願発明の実施の形態を図１乃至図７に基づいて説明する。図１は、本願発明に係る球体発射装置の一つの実施の形態を示す全体斜視図である。図２は、図１の分解斜視図である。図３は、本願発明に係る球体発射ゲーム装置の一つの実施の形態を示す全体斜視図である。図４は、図３の球体発射装置の要部断面図である。図５は、図４の動きを説明する断面図である。図６は、図３の球体発射装置を外した上面図である。図７は、図３の標的の要部断面図である。
【００１４】
球体発射装置１は、装置本体２を有する。装置本体２は、球体発射部１０と、球体発射部１０に球体Ａを供給する球体供給手段３０を有する。球体発射部１０は、球体発射口１２を有する球体発射路１６と、球体発射路１６の球体Ａを発射口１２に向けて押し出す押出部材２３と、押出部材２３を球体発射口１２側に向けて付勢する弾性部材２６と、押出部材２３を弾性部材２５の弾性に抗して反弾性方向に移動させる操作部材２５とからなる。
【００１５】
球体供給手段３０は、回動自在に設けられ、球体Ａを収納する収納凹部３７，３８と、押出部材２３の一側２８，２９と係合する係合部６１，６２を有し、前記押出部材２３の反弾性方向の移動の時に、押出部材２３の一側２８，２９が係合部６１，６２と係合して回動し、収納凹部３７，３８に収納された球体Ａを前記球体発射路１６に供給するようになっている。
【００１６】
装置本体２には、照準部材６５が設けられている。照準部材６５は、上部に設けられた第１の開口６９と、球体発射口１２と略同じ方向を向いた第２の開口７と、第２の開口７０の入力光を第１の開口６９に反射させる反射鏡７１とが設けられている。
【００１７】
球体発射ゲーム装置１００は、基盤８０と、基盤８０に配置される標的１１０と、基盤８０の少なくとも１箇所に設けられ、基盤８０に球体Ａを発射する球体発射装置１とからなる。基盤８０には、球体発射装置１によって発射させられた球体Ａが転動する球体転動板８７と、球体転動板８７の上部に設けられた装飾板９５を有し、球体転動板８７の側部には、球体発射装置１に球体Ａを案内する案内路１０１，１０２，１０３が設けられている。
【００１８】
装飾板９５には、標的１１０を着脱自在に取り付ける複数の取付孔１０６が形成されている。標的１１０には、取付孔１０６を介して球体転動板８７上の転動体Ａが当接する位置まで伸びる当接部材１１１が設けられている。当接部材１１１は、標的１１０を付勢する弾性部材１１３と、弾性部材１１３の弾性を蓄えるようにして係止する係止部材１１６を有し、係止部材１１６に球体Ａが当接すると、係止が解除され、弾性部材１１３の弾性により標的１１０が付勢されるようになっている。
【００１９】
球体発射装置１００は、基盤８０に回動自在に設けられている。前記球体Ａを案内する案内路１０１，１０２，１０３は、球体Ａを前記球体供給手段３０に案内するように構成されている。
【００２０】
さらに球体発射装置１について詳細に説明する。装置本体２は、円盤状に形成され、下ケース３と、中ケース４と、上ケース５とからなり、下ケース３と中ケース４と上ケース５が重ね合わされ、ネジ６等によって一体的に組み立てられている。下ケース３の後部は外形が円弧状に形成されており、当該円弧先端部より球体供給室３１，３２の外側の側壁４９，５０が下ケース３後部方向へ延設されており、さらに当該外側の側壁４９，５０から連なって、球体供給室３１，３２が略コ字状を形成するように、内側の側壁４７，４８が設けられている。
【００２１】
また、当該内側の側壁４７，４８の前端部より扇状の遮断板６３が下ケース３の円弧より前方に突出するように延設されている。扇状の遮断板６３は後述する球体の直径と略同じ長さだけ前方に突出している。また、扇状の遮断板２０の端部と、外側の側壁４９，５０の端部（円弧の端部）の間は球体供給開口４５，４６を形成している。装置本体２の中ケース２には、球体発射部１０が設けられており、下ケース３の球体供給室３１，３２には球体発射部１０に球体Ａを供給する球体供給手段３０が形成されている。
【００２２】
球体発射部１０は、球体発射室１１に設けられ、球体供給手段３０は、球体供給室３１，３２に設けられている。球体発射室１１は、装置本体２の中ケース２の略中央前部に設けられている。球体供給室３１，３２は、球体発射室１１を挟んで装置本体２の両側に設けられている。すなわち、中ケース２に設けられた球体発射室１１は、下ケース３に設けられた球体供給室３１，３２の内側の側壁４７，４８の上部に位置している。このことにより、球体供給室３１，３２に供給された球体Ａは内側の側壁４７，４８に当接した位置で停止し、後述する球体供給部材３５，３６の収納凹部３７，３８により球体供給室３１，３２の上部へ移動されない限り、球体発射室１１に移動せず、内側の側壁４７，４８に当接した位置で保持される。球体発射室１１の前部には、球体発射口１２が形成されている。
【００２３】
球体発射室１１の左右には、球体供給室３１，３２と連通し、球体供給室３１，３２内の球体Ａを球体発射室１１内に供給できる程度の連通孔１３，１４が形成されている。球体発射室１１の底壁１５には、断面が略Ｕ字状の凹部によって形成された球体発射路１６が形成されている。球体発射路１６は、球体発射口１２に向かって、緩やかに上昇傾斜している。従って、球体発射路１６は、ここに載置された球体Ａが反球体発射口１２に向かって転動し、球体Ａが球体発射口１２から飛び出ないようになっている。
【００２４】
装置本体２の中ケース２の略中央後部には、弾性部材収納室１９が形成され、さらに弾性部材収納室１９と装置本体２の後端２ａを連通するガイド孔２０が形成されている。ガイド孔２０には、押圧軸２２が前後方向に向かって摺動自在に設けられている。押圧軸２２は、前部に押出部材２３が設けられ、後部に操作部材２５が設けられている。押圧軸２２には、コイルバネ状の弾性部材２６が巻装されている。
【００２５】
弾性部材２６は、弾性部材収納室１９に収納され、弾性部材収納室１９の後壁２７と押出部材２３間に介装され、押出部材２３を前方に付勢する。操作部材２５は、装置本体２の外側に設けられ、前端縁２４が前記弾性部材２６の弾性により装置本体２の後端２ａに係止される。押出部材２３の両側下部には、略Ｌ字状の係合突起２８，２９が設けられている。係合突起２８，２９は、連通孔１３，１４を介して球体供給室３１，３２内に突出している。
【００２６】
球体供給室３１は、略コ字状に形成され、前部に球体供給開口４５が設けられている。球体供給室３１内には、略扇状に形成された球体供給部材３５が回動自在に設けられている。球体供給部材３５は、後部に支軸４１が設けられ、球体供給室３１内の両側壁４７、４９に形成された軸受け凹部５１、５３に支軸４１が回動自在に軸受けされ、前部が上下に回動するようになっている。
【００２７】
球体供給室３２は、略コ字状に形成され、前部に球体供給開口４６が設けられている。球体供給室３２内には、略扇状に形成された球体供給部材３６が回動自在に設けられている。球体供給部材３６は、後部に支軸４２が設けられ、球体供給室３２内の両側壁４８、５０に形成された軸受け凹部５２、５４に支軸４２が回動自在に軸受けされ、前部が上下に回動するようになっている。
【００２８】
球体供給部材３５，３６は、前部上面に球体Ａを収納する収納凹部３７，３８が形成されている。収納凹部３７，３８は、左右両端が開放された断面略半円状に形成され、装置本体２の中央部（すなわち、球体発射路１６側）に向かって下降傾斜している。球体供給部材３５，３６は、支軸４１，４２を中心とした円弧状の外周面３９，４０が形成され、前部が上方に回動すると、当該外周面３９，４０が前記球体供給開口４５，４６を塞ぐようになっている。
【００２９】
球体供給部材３５，３６は、外側面５５，５６に係合ピン５７，５８が突設されている。球体供給室３１，３２は、外側の側壁４９，５０に、前記係合ピン５７，５８と係合して、球体供給部材３５，３６の下方への回動を規制する凸起体５９、５９が形成されている。球体供給部材３５，３６は、初期状態では、自重により係合ピン５７，５８が凸起体５９，５９に係合しており、球体供給開口４５，４６を開放し、球体供給開口４５，４６から入る球体Ａ，Ａを収納凹部３７，３８が受けるようになっている。
【００３０】
球体供給部材３５，３６には、前記押出部材２３の両側下部に設けられた係合突起２８，２９と係合する係合片６１，６２が設けられている。下ケース３の前部には、扇状の遮断板６３が設けられている。遮断板６３は、ケース本体２が前方を向いている時は、両側の球体供給開口４５，４６を遮断しており、ケース本体２が右側に回動した時には左側の球体供給開口４６を開放し、ケース本体２が左側に回動した時には右側の球体供給開口４５を開放する。
【００３１】
装置本体２の上部には、照準部材６５が設けられている。照準部材６５は、円形の基板６６と、基板６６上に固定して設けられた戦車状の照準本体６７とからなる。照準本体６７は、上部に第１の開口６９が形成され、前部に第２の開口７０が形成されている。また照準本体６７内には、第２の開口７０から入る入力光を第１の開口６９に反射させる反射鏡７１が設けられている。
【００３２】
第１の開口６９には、透過性部材７２が設けられている。透過性部材７２には、指標７３が形成されている。基板６６は、ネジ７５によって装置本体２の上ケース５に固定して取り付けられている。
【００３３】
球体発射ゲーム装置１００は、基盤８０と少なくとも一つの上記球体発射装置１とからなる。上記球体発射装置１は、基盤８０の一つの角部に回動自在に設けられているが、基盤８０の対向する角部に回動自在に設けられても構わないのは勿論である。基盤８０は、基枠８１と、球体転動板８７と、装飾板９５とからなる。基枠８１は、基板８２と、基板８２の前部に設けられた前板８３と、基板８２の後部に設けられた後板８４と、基板８２の右部に設けられた右板８５と、基板８２の左部に設けられた左板８６とからなる。
【００３４】
基板８２の角部近傍には、図６に示すように、半円状の穴９０が形成され、穴９０内に軸受け板９１が突出して形成されている。軸受け板９１には、中心孔９２が形成されている。前記球体発射装置１の装置本体２は、ネジ７を中心孔９２に挿通して下ケース３の下面にねじ込むことによって、基板８２の角部近傍に回動自在に取り付けられている。
【００３５】
基板８２の上部には、図示しないボスが形成され、当該ボスに球体転動板８７がネジ等によって取り付けられている。球体転動板８７は、球体発射装置１の球体発射口１２と略同じ高さに設けられ、球体発射口１２から発射された球体Ａが転動するようになっている。
【００３６】
球体転動板８７と右板８５の間には、球体発射装置１の右側の球体供給開口４５に球体Ａを案内する第１の案内路１０１が設けられている。第１の案内路１０１は、球体供給開口４５に向かって下降傾斜している。球体Ａは、球体転動板８７の右端縁９６と右板８５によって規制され、さらに右板８５に設けられた案内板９８によって、球体発射装置１の右側の球体供給開口４５に導かれる。
【００３７】
球体転動板８７と後板８４の間には、球体発射装置１の左側の球体供給開口４６に球体Ａを案内する第２の案内路１０２が設けられている。第２の案内路１０２は、球体供給開口４６に向かって下降傾斜している。球体Ａは、球体転動板８７の後端縁９７と後板８４によって規制され、さらに後板８４に設けられた案内板９９によって、球体発射装置１の左側の球体供給開口４６に導かれる。
【００３８】
球体転動板８７と前板８３の間には、第１の案内路１０１に球体Ａを案内する第３の案内路１０３が設けられている。第３の案内路１０３は、第１の案内路１０１に向かって下降傾斜している。球体Ａは、球体転動板８７の前端縁９４と前板８３によって規制されて第１の案内路１０１に導かれる。
【００３９】
球体転動板８７の上部には、ボス８９が設けられ、当該ボス８９に装飾板９５がネジ７６等によって取り付けられている。装飾板９５には、複数の取付孔１０６が形成されている。装飾板９５は、非透過性部材で形成されているが、透過性部材で形成されても構わない。取付孔１０６には、戦車状の標的１１０が取り付けられるようになっている。標的１１０には、取付孔１０６に着脱自在に差し込まれる当接部材１１１が設けられている。
【００４０】
当接部材１１１は、筒状のガイド筒１１２と、バネ状の弾性部材１１３と、突出部材１１５と、係止部材１１６とからなる。ガイド筒１１２は、球体転動板８７上の転動体Ａが当接する位置まで伸びるように形成されている。弾性部材１１３は、ガイド筒１１２内に設けられている。突出部材１１５は、ガイド筒１１２内に設けられ、弾性部材１１３の弾性によりガイド筒１１２の下端から突出可能に設けられている。
【００４１】
係止部材１１６は、ガイド筒１１２に略直角で且つ摺動自在に設けられ、一方に摺動すると、前記弾性部材１１３の弾性を蓄えて前記突出部材１１５をガイド筒１１２内に収納した状態で係止し、他方に摺動すると係止を解除して、弾性部材１１３の弾性により前記突出部材１１５をガイド筒１１２の下端から突出させるように形成されている。
【００４２】
球体発射ゲーム装置１００は、図３に示すように、装飾板９５の複数の取付孔１０６の内、所望する取付孔１０６に標的１１０の当接部材１１１を差し込んで、標的１１０を基盤８０上に載置する。照準部材６５の第１の開口６９から覗くと、第２の開口７０から入光する標的１１０の映像が反射鏡７１を介して確認することができるので、球体発射装置１を左右方向に回動して狙う標的１１０を定めることができる。
【００４３】
収納凹部３７，３８は、球体発射路１６側に向かって下降傾斜しているが、図４に示すように、球体供給部材３５，３６の係合片６１，６２が押出部材２３の係合突起２８，２９に係合して回動する前は、収納凹部３７（又は収納凹部３８）にある球体Ａは、球体供給室３１（又は球体供給室３２）の内側の側壁４７（内側の側壁４８）に当接して、移動が阻止されている。
【００４４】
操作部材２５を摘んで、弾性部材２６の弾性に抗して押圧軸２２を引っ張ると、押出部材２３が後方に引き寄せられ、球体発射路１６の略中間位置で、押出部材２３の係合突起２８，２９が球体供給部材３５，３６の係合片６１，６２に係合する。さらに押出部材２３が後方に引き寄せられると、係合突起２８，２９によって球体供給部材３５，３６の前部が上方に回動し、図５に示すように、収納凹部３７の開放された左端又は収納凹部３８の開放された右端が連通孔１３，１４と略同じ高さになったとき、収納凹部３７又は収納凹部３８に収納された球体Ａが球体発射路１６に供給される。このとき、収納凹部３７から球体発射路１６に供給された球体Ａは、左側の球体供給部材３６の後部右端に当接するため、球体発射室１１を通過して左側の球体供給室３２へ移動することが阻止されている。同様に、収納凹部３８から球体発射路１６に供給された球体Ａは、右側の球体供給部材３５の後部左端に当接するため、右側の球体供給室３１へ移動することが阻止されている。
【００４５】
球体Ａは、球体発射路１６が後方に下降傾斜しているので、押出部材２３の後方への移動に伴って、後方に転動し、押出部材２３に当接する。操作部材２５を離すと、弾性部材２６の弾性により、押出部材２３が前方に押し出され、球体Ａが球体発射路１６を経て球体発射口１２から発射され、球体転動板８７上を転動する。球体供給部材３５，３６は、押出部材２３の係合突起２８，２９が係合片６１，６２から外れるので、前部が自重により下方に回動し、係合ピン５７，５８が凸起体５９，５９に係合して停止する
【００４６】
球体転動板８７上を転動する球体Ａの移動は、装飾板９５によって見えない。球体Ａは、第１の案内路１０１、第２の案内路１０２、第３の案内路１０３に入り、それらの傾斜に従って球体発射装置１に案内され第１の案内路１０１，第２の案内路１０２に沿って整列する。第１の案内路１０１及び第２の案内路１０２に整列した球体Ａは、球体発射装置１の遮断板６３が下ケース３より球体Ａの直径と略同じ長さだけ突出していることにより、各々の案内路に整列した球体Ａのうち１個のみが、球体供給用開口４５，４６に移動され、その他の球体Ａは遮断板６３により球体発射装置１の球体供給用開口４５，４６への移動が阻止されている。また、球体供給用開口４５，４６に移動された球体Ａは球体供給部材３５，３６の収納凹部３７，３８に移動する。
【００４７】
球体転動板８７上を転動する球体Ａが標的１１０の当接部材１１１の係止部材１１６に当たると、係止部材１１６が他方に摺動して、突出部材１１５に対する係止を解除し、突出部材１１５が弾性部材１１３の弾性によりガイド筒１１２の下端から突出する。標的１１０は、この突出部材１１５の動作により、上方に飛び上がり、球体Ａが当たったことを、直ちに確認することができる。なお、標的１１０を屈曲自在に二分割し、球体Ａが当たると屈曲するようにしても構わない。
【００４８】
球体発射装置１を左方に回動すると、遮断板６３も左方に回動するため、右側の球体供給開口４５が第１の案内路１０１と連通し、第１の案内路１０１に整列している球体Ａのうち最も球体発射装置１に近い位置にあるものが、右側の球体供給開口４５から右側の球体供給室３１内へ移動し、右側の球体供給部材３５の収納凹部３７に保持される。再び、球体発射装置１を右方に回動すると、扇状の遮断板６３の前方右端部により第１の案内路１０１に整列している残りの球体Ａの右側の球体供給開口４５への移動が阻止され、球体供給開口４５に移動する球体Ａは１個のみに規制される。
【００４９】
また、球体発射装置１を右方に回動すると、遮断板６３も右方に回動するため、左側の球体供給開口４６が第２の案内路１０２と連通し、第２の案内路１０２に整列している球体Ａのうち最も球体発射装置１に近い位置にあるものが、左側の球体供給開口４６から左側の球体供給室３２内へ移動し、左側の球体供給部材３６の収納凹部３８に保持される。再び、球体発射装置１を左方に回動すると，扇状の遮断板６３の前方左端部により第２の案内路１０２に整列している残りの球体Ａの左側の球体供給開口４６への移動阻止され、球体供給開口４６に移動する球体Ａは１個のみに規制される。このように、球体発射装置１を回動することによって、装置本体２内に球体Ａを一つずつ取り込むことができる。
【００５０】
球体供給室３１（又は３２）内に入った球体Ａは、上記したように操作部材２５を引っ張ると、球体供給部材３５，３６の前部が上方に回動して、球体発射路１６に供給されるが、その時、球体供給部材３５，３６の外周面３９，４０が球体供給室３１，３２の球体供給開口４５，４６を塞ぐため、球体供給開口４５，４６から球体供給室３１，３２内に球体Ａが入るのを阻止することができる。
【００５１】
【発明の効果】
以上説明してきたように、本願発明に係る球体発射装置は、盤上に転動している球体を掬い上げて球体発射路に供給する球体供給手段を備え、人手により球体を球体発射路に供給する煩わしさがないので、極めて便利であるという効果がある。また、照準部材を備えると、球体の発射方向を確認しながら発射することができるので、標的に当てる確率を高めることができると共に、よりリアルな魚雷戦ゲームに使用することができるという効果がある。
【００５２】
本願発明に係る球体発射ゲーム装置は、標的を所望する位置に取り付けることができ、球体が当たると標的は弾性部材によって飛び出す等の興趣ある動きをし、球体は案内路によって球体発射装置に案内されるので、人手によって球体を元の位置に戻す面倒がないという効果がある。
【図面の簡単な説明】
【図１】本願発明に係る球体発射装置の一つの実施の形態を示す全体斜視図である。
【図２】図１の分解斜視図である。
【図３】本願発明に係る球体発射ゲーム装置の一つの実施の形態を示す全体斜視図である。
【図４】図３の球体発射装置の要部断面図である。
【図５】図４の動きを説明する断面図である。
【図６】図３の球体発射装置を外した上面図である。
【図７】図３の標的の要部断面図である。
【符号の説明】
Ａ  球体
１  球体発射装置
２  装置本体
２ａ  後端
３  下ケース
４  中ケース
５  上ケース
６  ネジ
７  ネジ
１０  球体発射部
１１  球体発射室
１２  球体発射口
１３  連通孔
１４  連通孔
１５  底壁
１６  球体発射路
１９  弾性部材収納室
２０  ガイド孔
２２  押圧軸
２３  押出部材
２４  前端縁
２５  操作部材
２６  弾性部材
２７  後壁
２８  係合突起（一側）
２９  係合突起（一側）
３０  供給供給手段
３１  球体供給室
３２  球体供給室
３５  球体供給部材
３６  球体供給部材
３７  収納凹部
３８  収納凹部
３９  外周面
４０  外周面
４１  支軸
４２  支軸
４５  球体供給開口
４６  球体供給開口
４７  内側の側壁
４８  内側の側壁
４９  外側の側壁
５０  外側の側壁
５１  軸受け凹部
５２  軸受け凹部
５３  軸受け凹部
５４  軸受け凹部
５５  外側面
５６  外側面
５７  係合ピン
５８  係合ピン
５９  凸起体
６１  係合片（係合部）
６２  係合片（係合部）
６３  遮断板
６５  照準部材
６６  基板
６７  照準本体
６９  第１の開口
７０  第２の開口
７１  反射鏡
７２  透過性部材
７３  指標
７５  ネジ
８０  基盤
８１  基枠
８２  基板
８３  前板
８４  後板
８５  右板
８６  左板
８７  球体転動板
８９  ボス
９０  穴
９１  軸受け板
９２  中心孔
９５  装飾板
９６  右端縁
９７  後端縁
９８  案内板
９９  案内板
１００  球体発射ゲーム装置
１０１  第１の案内路
１０２  第２の案内路
１０３  第３の案内路
１０６  取付孔
１１０  標的
１１１  当接部材
１１２  ガイド筒
１１３  弾性部材
１１５  突出部材
１１６  係止部材
【図１】
2004358068.tif 000003
【図２】
2004358068.tif 000004
【図３】
2004358068.tif 000005
【図４】
2004358068.tif 000006
【図５】
2004358068.tif 000007
【図６】
2004358068.tif 000008
【図７】
2004358068.tif 000009